(57)【要約】【課題】厚さの薄い光ピックアップ装置に搭載できるレンズ駆動装置を提供する。【解決手段】導電面１４ｂ、１４ｄの中心線が、それにハンダ付けされるワイヤ４の軸線に対してずれているので、ハンダごてＴがワイヤ４に当たりハンダ付け作業を阻害することなどが抑制され、従って導電面１４ｂ、１４ｄの面積が小さくてもハンダ付けのための広いエリアが確保されることとなり、それによりホルダ基板１４の寸法を抑えながらも、短時間で容易にワイヤ４のハンダ付けを行うことができるから、薄厚の光ピックアップ装置に搭載するのに好適である。【選択図】図２
2007188596.tif 000002
【特許請求の範囲】
【請求項１】
光ピックアップ装置用のレンズ駆動装置であって、
レンズを保持する移動可能なホルダと、
一端側をベースに取り付けられる複数本の導電性のワイヤと、
前記ワイヤの他端側を前記ホルダに固定するホルダ基板と、を有し、
前記ホルダ基板は、前記ワイヤをハンダ付けする複数の導電面を有し、少なくとも一つの導電面は、それにハンダ付けされる前記ワイヤの軸線に垂直である両方向において、最も遠方の位置までの距離が互いに異なっていることを特徴とするレンズ駆動装置。
【請求項２】
前記導電面は、前記ワイヤに沿った方向の長さが、前記ワイヤと直交する方向の長さに対して短いことを特徴とする請求項１に記載のレンズ駆動装置。
【請求項３】
隣接する前記導電面は、前記ワイヤの前記ベースへの固定位置からの距離が異なるように配置されていることを特徴とする請求項１又は２に記載のレンズ駆動装置。
【請求項４】
前記ホルダ基板は、前記導電面と、前記ワイヤの前記ベース側における固定位置との間において、前記ワイヤを固定する支持部を有し、前記複数本のワイヤにおける、前記支持部と前記固定位置との間の長さが等しくなっていることを特徴とする請求項３に記載のレンズ駆動装置。
【請求項５】
前記支持部は導電面であり、前記ワイヤは導電性部材を用いて前記支持部に固定されることを特徴とする請求項４に記載のレンズ駆動装置。
【請求項６】
前記ワイヤは接着剤を用いて前記支持部に固定されることを特徴とする請求項４に記載のレンズ駆動装置。
【請求項７】
前記ホルダは、磁気回路中のコイルによって駆動され、前記ワイヤは、前記コイルへ電力を供給すると共に、前記コイルの付勢力に応じた弾性力を発生することを特徴とする請求項１〜６のいずれかに記載のレンズ駆動装置。
【請求項８】
光ピックアップ装置用のレンズ駆動装置であって、
レンズを保持する移動可能なホルダと、
一端側を前記ホルダに取り付けられる複数本の導電性のワイヤと、
前記ワイヤの他端側をベースに固定するベース基板と、を有し、
前記ベース基板は、隣接するワイヤの並び方向の長さが、それに直交する方向の長さより短くなっており、且つ前記ワイヤに交差するように配置された複数の導電面を有し、前記導電面に前記ワイヤがハンダ付けされていることを特徴とするレンズ駆動装置。
【請求項９】
少なくとも１つの導電面と、前記ワイヤとは、前記ベース基板の外縁に近い側でハンダ付けされていることを特徴とする請求項８に記載のレンズ駆動装置。
【請求項１０】
前記導電面の長手方向において、前記ワイヤを基準として、前記ベース基板の外縁に近い側の長さは、それと逆側の長さより長いことを特徴とする請求項８又は９に記載のレンズ駆動装置。
【請求項１１】
前記導電面の長手方向における、前記ワイヤから前記ベース基板の外縁に近い側の端部までの長さは０．６mm以上であることを特徴とする請求項１０に記載のレンズ駆動装置。
【請求項１２】
前記導電面の長手方向における、前記ワイヤから前記ベース基板の外縁とは逆側の端部までの長さは０．３mm以上であることを特徴とする請求項１０又は１１に記載のレンズ駆動装置。
【発明の詳細な説明】
【技術分野】
【０００１】
本発明は、光ピックアップ装置用のレンズ駆動装置に関し、特に、製造が容易なレンズ駆動装置に関する。
【背景技術】
【０００２】
ＣＤやＤＶＤに代表される光ディスクに対して、情報の記録及び／又は再生を行える光ピックアップ装置が開発されている。また、波長４００ｎｍ程度の青紫色半導体レーザを用いて、Ｂｌｕ−ｒａｙ  ＤｉｓｃやＨＤ  ＤＶＤなどの光ディスクに情報の記録／再生を行える光ピックアップ装置の開発も急速に進んでいる。ここで、光ピックアップ装置における、集光スポットを形成する対物レンズにおいては、情報の記録及び／又は再生時に、光ディスクの情報記録面に集光スポットを適切に結像させるためのフォーカシング動作と、光ディスクのトラックに適切に追従するトラッキング動作とが必要となっている。又、近年増大する傾向にあるＤＶＤの高速記録再生に対応させるべく、それらの動作に加えて、対物レンズの傾きを調整して収差補正を行うためのティルト調整動作も行われることが多くなってきている。加えて、ＨＤ  ＤＶＤの場合、基板厚が比較的厚く開口数も増大していることから、ティルト調整動作を精度良く行うことがより重要な課題となっている。
【０００３】
特許文献１には、片側２本ずつ合計４本のワイヤ状のサスペンション部材にて、フォーカシング動作、トラッキング動作、及びチルト調整動作可能にレンズホルダを支持するレンズ駆動装置が開示されている。サスペンション部材は、レンズホルダを弾性支持する機能と、各動作に必要な磁力を発生させるためにコイルに電力を供給する機能とを有する。
【特許文献１】特開２００５−２１６３５７号公報
【発明の開示】
【発明が解決しようとする課題】
【０００４】
しかるに、例えばノート型パソコン等に搭載する光ピックアップ装置においては、５〜１０ｍｍ程度の薄さであることが要求されている。このような光ピックアップ装置に搭載するために、特許文献１のレンズ駆動装置をそのままコンパクトにしたのみでは、サスペンション部材のハンダ付けなどが困難となるという問題があり、何らかの工夫が望まれている。
【０００５】
本発明は、かかる問題点に鑑みて成されたものであり、厚さの薄い光ピックアップ装置に搭載できるレンズ駆動装置を提供することを目的とする。
【課題を解決するための手段】
【０００６】
請求項１に記載のレンズ駆動装置は、光ピックアップ装置用のレンズ駆動装置であって、
レンズを保持する移動可能なホルダと、
一端側をベースに取り付けられる複数本の導電性のワイヤと、
前記ワイヤの他端側を前記ホルダに固定するホルダ基板と、を有し、
前記ホルダ基板は、前記ワイヤをハンダ付けする複数の導電面を有し、少なくとも一つの導電面は、それにハンダ付けされる前記ワイヤの軸線に垂直である両方向において、最も遠方の位置までの距離が互いに異なっていることを特徴とする。
【０００７】
本発明のレンズ駆動装置によれば、前記ホルダ基板が、前記ワイヤをハンダ付けする複数の導電面を有し、少なくとも一つの導電面は、それにハンダ付けされる前記ワイヤの軸線に垂直である両方向において、最も遠方の位置までの距離が互いに異なっているので、前記導電面に前記ワイヤをハンダ付けする際に、ハンダごてがワイヤに当たりハンダ付け作業を阻害することなどが抑制され、従って前記導電面の面積が小さくてもハンダ付けのための広いエリアが確保されることとなり、それにより前記ホルダ基板の寸法を抑えながらも、短時間で容易に前記ワイヤのハンダ付けを行うことができるから、薄厚の光ピックアップ装置に搭載するのに好適である。
【０００８】
請求項２に記載のレンズ駆動装置は、請求項１に記載の発明において、前記導電面は、前記ワイヤに沿った方向の長さが、前記ワイヤと直交する方向の長さに対して短いことを特徴とするので、更に前記ホルダ基板をコンパクトにすることができる。
【０００９】
請求項３に記載のレンズ駆動装置は、請求項１又は２に記載の発明において、隣接する前記導電面は、前記ワイヤの前記ベースへの固定位置からの距離が異なるように配置されていることを特徴とするので、更に前記ホルダ基板をコンパクト且つ薄形にすることができる。
【００１０】
請求項４に記載のレンズ駆動装置は、請求項３に記載の発明において、前記ホルダ基板は、前記導電面と、前記ワイヤの前記ベース側における固定位置との間において、前記ワイヤを固定する支持部を有し、前記複数本のワイヤにおける、前記支持部と前記固定位置との間の長さが等しくなっていることを特徴とするので、例えばチルト調整等のために前記ホルダを傾ける際に、支点ズレに起因した動作不良を抑制することができる。
【００１１】
請求項５に記載のレンズ駆動装置は、請求項４に記載の発明において、前記支持部は導電面であり、前記ワイヤは導電性部材を用いて前記支持部に固定されることを特徴とするので、前記ワイヤと前記導電面との導通以外に、前記ワイヤと前記支持部との導通を確保することで、接触不良などの不具合を確保できる。なお、前記ワイヤを減衰性のある部材を用いて前記支持部に固定してもよく、それにより前記ワイヤの振動特性を改善できる。
【００１２】
請求項６に記載のレンズ駆動装置は、請求項４に記載の発明において、前記ワイヤは接着剤を用いて前記支持部に固定されることを特徴とするので、例えばエポキシ系のＵＶ硬化接着剤を使うことで簡易に固定ができ、且つ硬化時の収縮を抑えてワイヤ支点を形成できる。
【００１３】
請求項７に記載のレンズ駆動装置は、請求項１〜６のいずれかに記載の発明において、前記ホルダは、磁気回路中のコイルによって駆動され、前記ワイヤは、前記コイルへ電力を供給すると共に、前記コイルの付勢力に応じた弾性力を発生することを特徴とする。
【００１４】
請求項８に記載のレンズ駆動装置は、光ピックアップ装置用のレンズ駆動装置であって、
レンズを保持する移動可能なホルダと、
一端側を前記ホルダに取り付けられる複数本の導電性のワイヤと、
前記ワイヤの他端側をベースに固定するベース基板と、を有し、
前記ベース基板は、隣接するワイヤの並び方向の長さが、それに直交する方向の長さより短くなっており、且つ前記ワイヤに交差するように配置された複数の導電面を有し、前記導電面に前記ワイヤがハンダ付けされていることを特徴とする。
【００１５】
本発明のレンズ駆動装置によれば、前記ベース基板は、隣接するワイヤの並び方向の長さが、それに直交する方向の長さより短くなっており、且つ前記ワイヤに交差するように配置された複数の導電面を有し、前記導電面に前記ワイヤがハンダ付けされているので、前記導電面に前記ワイヤをハンダ付けする際に、ハンダごてがワイヤに接触してハンダ付け作業を阻害することなどが抑制され、従って前記導電面の面積が小さくてもハンダ付けのための広いエリアが確保されることとなり、それにより前記ベース基板の寸法を抑えながらも、短時間で容易に前記ワイヤのハンダ付けを行うことができるから、薄厚の光ピックアップ装置に搭載するのに好適である。
【００１６】
請求項９に記載のレンズ駆動装置は、請求項８に記載の発明において、少なくとも１つの導電面と、前記ワイヤとは、前記ベース基板の外縁に近い側でハンダ付けされていることを特徴とするので、ハンダごてを前記ベース基板の外縁側より接近させやすくなり、ワイヤに接触してハンダ付け作業を阻害することなどが更に効果的に抑制される。
【００１７】
請求項１０に記載のレンズ駆動装置は、請求項８又は９に記載の発明において、前記導電面の長手方向において、前記ワイヤを基準として、前記ベース基板の外縁に近い側の長さは、それと逆側の長さより長いことを特徴とするので、前記導電面の面積が小さくてもハンダ付けのための更に広いエリアを確保できる。
【００１８】
請求項１１に記載のレンズ駆動装置は、請求項１０に記載の発明において、前記導電面の長手方向における、前記ワイヤから前記ベース基板の外縁に近い側の端部までの長さは０．６mm以上であることを特徴とするので、前記導電面の面積が小さくてもハンダ付けのための更に広いエリアを確保できる。
【００１９】
請求項１２に記載のレンズ駆動装置は、請求項９に記載の発明において、前記導電面の長手方向における、前記ワイヤから前記ベース基板の外縁とは逆側の端部までの長さは０．３mm以上であることを特徴とするので、一般的にハンダの線径がφ０．３ｍｍであることから、前記ワイヤを挟んで、固化前のハンダをハンダごてと反対側より接近させることができ（図４参照）、作業性が向上する。
【発明の効果】
【００２０】
本発明によれば、厚さの薄い光ピックアップ装置に搭載できるレンズ駆動装置を提供することができる。
【発明を実施するための最良の形態】
【００２１】
以下、図面を参照して、本発明をさらに詳細に説明する。図１は、本実施の形態にかかるレンズ駆動装置の斜視図である。ヨークを兼ねた板状のベース１は、不図示の光ピックアップ装置のハウジングに固定される。ベース１上には、筐体２が固定されている。筐体２の図で手前側には、ベース基板３が取り付けられている。ベース基板３には、片側で３本ずつ、合計６本のワイヤ４の一端が固定されており、各側のワイヤ４は、上下方向に等間隔で平行に並べられ且つベース１に沿って延在している。ワイヤ４の他端は、ホルダ５の側面に、ガラスエポキシ製のホルダ基板１４を介してハンダ付けされている。ワイヤ４は、ベース１に対してホルダ５を移動可能に支持する機能と、不図示の配線が接続されるベース基板３から、後述するコイルに対して給電するための機能とを有する。なお、筐体２内には、ワイヤ４のダンピング効果のあるジェル（不図示）が充填されている。
【００２２】
樹脂製のホルダ５は、略五角形の板状を有しており、図で奥側の円形開口（不図示）内に対物レンズ６を装着している。この対物レンズ６は、光ピックアップ装置において、光ディスクの情報記録面にレーザ光束を集光するために用いられる。又、ホルダ５は、図で手前側に２つの矩形開口５ａ、５ｂを形成しており、更に矩形開口５ａ、５ｂに隣接してバランサ５ｃを有している。なお、ホルダ５は、対物レンズ６側と、それと反対側との間を、矩形開口５ａの両側に配置された柱部５ｄ、５ｅとで連結し、且つ矩形開口５ｂの両側に配置された柱部５ｅ、５ｆとで連結しているともいえる。かかる構成を有しているので、矩形開口５ａ、５ｂの断面積を比較的大きく確保しても、ホルダ５の剛性を高く確保できる。又、中央の共通する柱部５ｅの中央軸線は、対物レンズ６の光軸（その延長線を含む）と交差していると、ホルダ５の良好なバランスを得ることができる。
【００２３】
矩形開口５ａ内には、ヨーク７Ａ、８Ａにそれぞれ裏打ちされた一対の磁石９Ａ，１０Ａが対向配置されている。磁石９Ａとヨーク７Ａの周囲を巻回するようにして第１コイル群Ｇ１（内側コイル１２Ａと外側コイル１３Ａ）が配置されている。第１コイル群Ｇ１と磁石１０Ａとの間には、第１コイル群Ｇ１と巻軸線が直交するように巻かれたトラッキングコイル１１Ａが配置されている。
【００２４】
一方、矩形開口５ｂ内には、ヨーク７Ｂ、８Ｂにそれぞれ裏打ちされた一対の磁石９Ｂ，１０Ｂが対向配置されている。磁石９Ｂとヨーク７Ｂの周囲を巻回するようにして第２コイル群Ｇ２（内側コイル１２Ｂと外側コイル１３Ｂ）が配置されている。第２コイル群Ｇ２と磁石１０Ｂとの間には、第２コイル群Ｇ２と巻軸線が直交するように巻かれたトラッキングコイル１１Ｂが配置されている。第１コイル群Ｇ１は、その両側を保持する保持体１５Ａを介して矩形開口５ａに取り付けられており、第２コイル群Ｇ２は、その両側を保持する保持体１５Ｂを介して矩形開口５ｂに取り付けられている。
【００２５】
図２は、図１に示すホルダ基板１４を矢印II方向に見た図である。なお、以下、右側のホルダ基板１４についてのみ説明するが、左側のホルダ基板１４も鏡像の関係である点を除き、構成は同様である。図２において、板状のホルダ基板１４は、ホルダ５に接着されるガラスエポキシ製のベース１４ａと、図２で上下方向に平行に並べられた３本のワイヤ４の端部がそれぞれハンダ付けされる導電面１４ｂ、１４ｃ、１４ｄと、各ワイヤ４を支持する支持部１４ｅ、１４ｆ、１４ｇと、上述のコイルからの配線Ｈ１、Ｈ２，Ｈ３を接続する端子部１４ｈ、１４ｉ、１４ｊとを含む。
【００２６】
ホルダ基板１４は、角部が円弧状に切り欠かれて逃げ部１４ｘを形成しており、かかる空間を利用して、ワイヤ４の不要部を短くカットしやすくしている。ワイヤ４に沿った水平方向の長さが、ワイヤ４と直交する垂直方向の長さに対して短くなった矩形状の導電面１４ｂ、１４ｃ、１４ｄは、隣接する導電面の水平方向の位置を異ならせることで、いわゆる千鳥状に配置されている。又、図２で上方の導電面１４ｂの中心線は、それにハンダ付けされるワイヤ４の軸線に対して、ホルダ基板１４の中央寄りにずれて配置され、即ち、導電面１４ｂにおいて、それにハンダ付けされるワイヤ４の軸線から、垂直方向（図２で上方）に向かって最も遠方の位置までの距離ｘ１は、ワイヤ４の軸線から、垂直方向（図２で下方）に向かって最も遠方の位置までの距離ｘ２より小さくなっている。これに対し、図２で下方の導電面１４ｄの中心線は、それにハンダ付けされるワイヤ４の軸線に対して、ホルダ基板１４の中央寄りにずれて配置されている。即ち、導電面１４ｄにおいて、それにハンダ付けされるワイヤ４の軸線から、垂直方向（図２で下方）に向かって最も遠方の位置までの距離ｙ１は、ワイヤ４の軸線から、垂直方向（図２で上方）に向かって最も遠方の位置までの距離ｙ２より小さくなっている。以上の構成により、ホルダ基板１４の上下方向の寸法を抑えることができる。なお、中央の導電面１４ｃの中心線は、それにハンダ付けされるワイヤ４の軸線に一致するが、いずれかの方向に同様にずらしても良い。
【００２７】
一方、導電性の支持部１４ｅ、１４ｆ、１４ｇは、ワイヤ４の延びる水平方向に直交する垂直方向に沿って一列に並べられており、ホルダ基板１４上で導電面１４ｂ、１４ｃ、１４ｄにそれぞれ電気的に接続され、且つ端子部１４ｈ、１４ｉ、１４ｊにそれぞれ電気的に接続されている。端子部１４ｈ、１４ｉ、１４ｊは、トラッキングコイル１１Ａ又は１１Ｂ、フォーカシング用コイル１３Ａ又は１３Ｂ、チルト調整用コイル１２Ａ又は１２Ｂからの配線Ｈ１〜Ｈ３に接続されている。
【００２８】
導電面１４ｂ、１４ｄにワイヤ４をそれぞれハンダ付けする際には、点線で示すように、ワイヤ４に対して中央よりからハンダ材ＳＷとハンダごてＴとを接近させる。導電面１４ｃの場合は、いずれの方向からハンダ材ＳＷとハンダごてＴとを接近させてもよい。ハンダごてＴでハンダ材ＳＷから溶融したハンダＳＤは、導電面上で固化し、ワイヤ４を導通可能に固定することができる。
【００２９】
本実施の形態によれば、導電面１４ｂ、１４ｄの中心線が、それにハンダ付けされるワイヤ４の軸線に対してずれているので、ハンダごてＴがワイヤ４に当たりハンダ付け作業を阻害することなどが抑制され、従って導電面１４ｂ、１４ｄの面積が小さくてもハンダ付けのための広いエリアが確保されることとなり、それによりホルダ基板１４の寸法を抑えながらも、短時間で容易にワイヤ４のハンダ付けを行うことができるから、薄厚の光ピックアップ装置に搭載するのに好適である。
【００３０】
但し、千鳥状に配置された導電面１４ｂ、１４ｃ、１４ｄにワイヤ４をハンダ付けしたのみでは、ワイヤ４の根元から支持点までの長さが異なることとなり、例えばチルト調整時のバランスが悪くなる恐れがある。そこで、各ワイヤ４を、一列に並んだ支持部１４ｅ、１４ｆ、１４ｇに対して固定し、ここを支持点として用いることで、ワイヤ４の根元から支持点までの長さを等しくし、それによりチルト調整時等のバランスを確保している。ここで、各ワイヤ４を支持部１４ｅ、１４ｆ、１４ｇに対して固定する際に、エポキシ系のＵＶ硬化接着剤ＳＣを用いれば、簡単に固定でき硬化時の収縮を抑えてワイヤ支点を形成できる。又、ワイヤ４上において複数箇所をハンダ付けすると、既に固化したハンダにワイヤ４を伝わって熱伝達が生じ、溶融して位置ズレが生じてしまう恐れがあるが、このような不具合を回避できる。更に、導電面１４ｂ、１４ｃ、１４ｄにワイヤ４をハンダ付けする前に、支持部１４ｅ、１４ｆ、１４ｇに対してワイヤ４を接着すれば、ハンダ付けの作業性が向上する。一方、各ワイヤ４を支持部１４ｅ、１４ｆ、１４ｇに対して固定する際に、クリームハンダＳＣを用いれば、ワイヤ４と配線Ｈ１〜Ｈ３との導通性が高まり、外部からワイヤ４を介して供給される電力を有効に各コイルに伝達でき、またハンダ付け作業の困難さを低減できる。一方、減衰性を有する接着剤などを用いて各ワイヤ４をハンダ支持部１４ｅ、１４ｆ、１４ｇに対して固定すると、ホルダ５の振動特性を改善することができる。
【００３１】
図３は、別な実施の形態にかかるホルダ基板１４’を示す図である。本実施の形態においては、片側２本（合計４本）のワイヤ４で支持する構成としており、固定する支持部を設けていない。導電面１４ｂ、１４ｄは、コイルからの配線Ｈ１、Ｈ３を接続する端子部１４ｈ、１４ｊに接続されている。なお、ベース１４ａの端部に円弧状の切り欠きである逃げ部１４ｘが形成されている。これは、トラッキング動作時に、ベース１４ａとワイヤ４とが接触しないように設けられている。それ以外の点については、上述した実施の形態と同様であるため説明を省略する。
【００３２】
図４は、図１に示すベース基板３を矢印IV方向に見た図である。図４において、板状のベース基板３は、筐体２に接着されるガラスエポキシ製（又はフレキシブル基板）のベース３ａと、各ワイヤ４の端部を通過させる６つの孔３ｂと、紙面垂直方向に延在するワイヤ４の端部がそれぞれハンダ付けされる６つの導電面３ｃと、外部から電力を供給される配線（不図示）が接続される６つの端子部３ｄとを含む。  
【００３３】
ワイヤ４に対して直交する導電面３ｃは、それぞれ片側において隣接するワイヤ４の並び方向（図４で上下方向）の寸法が、それに直交する方向（図４で左右方向）の寸法より小さくなっている。又、導電面３ｃの長手方向（図４で水平方向）において、ワイヤ４を基準として、ベース基板３の外縁に近い側の長さΔ１は０．６ｍｍ以上であり、それと逆側の長さΔ２は、０．３ｍｍ以上であり、Δ１＞Δ３である。
【００３４】
導電面３ｃにワイヤ４の端部をそれぞれハンダ付けする際には、ワイヤ４に対してベース基板３の左右外縁側から不図示のハンダ材とハンダごてとを接近させる。ハンダごてでハンダ材から溶融したハンダＳＤは、導電面３ｃ上で固化し、ワイヤ４を導通可能に固定することができる。
【００３５】
本実施の形態によれば、導電面３ｃにワイヤ４をハンダ付けする際に、ハンダごてがワイヤ４に接触してハンダ付け作業を阻害することなどが抑制され、従って導電面３ｃの面積が小さくてもハンダ付けのための広いエリアが確保されることとなり、それによりベース基板３の寸法を抑えながらも、短時間で容易に前記ワイヤのハンダ付けを行うことができるから、薄厚の光ピックアップ装置に搭載するのに好適である。又、導電面３ｃの長さΔ１を０．６mm以上とすることで、導電面３ｃの面積が小さくてもハンダ付けのための更に広いエリアを確保できる。更に、導電面３ｃの長さΔ２を０．３mm以上とすることで、一般的にハンダの線径がφ０．３ｍｍであることから、ワイヤ４を挟んで、固化前のハンダＳＷをハンダごてＴと反対側より接近させることができ（点線参照）、作業性が向上する。
【００３６】
次に、本実施の形態にかかるレンズ駆動装置の動作について説明する。図１において、外側コイル１３Ａを横切る磁界の向きは、外側コイル１３Ｂを横切る磁界の向きと同じである。ここで、ワイヤ４を介して給電されたとき、外側コイル１３Ａ、１３Ｂには、同じ電流値で同じ方向（ここでは時計回り）に電流が流れるため、フレミングの左手の法則により、外側コイル１３Ａには、図で上方に向かう磁力が生じ、外側コイル１３Ｂには、図で上方に向かう磁力が生じる。従って、第１コイル群Ｇ１と第２コイル群Ｇ２が固定されたホルダ５は、図で上方に移動することなり、それにより対物レンズ６を光軸方向に移動させることでフォーカシング動作を実現することができる。なお、電流の向きを逆にすれば、ホルダ５は下方に移動する。
【００３７】
一方、内側コイル１２Ａには、時計回りの方向に電流を流し、内側コイル１２Ｂには、反時計回りの方向に電流を流すと、フレミングの左手の法則により、内側コイル１２Ａには、図で上方に向かう磁力が生じ、内側コイル１２Ｂには、図で下方に向かう磁力が生じる。従ってホルダ５には、その中心軸線回りにモーメントが作用することとなる。かかるモーメントを用いて、ホルダ５を傾けることで、対物レンズ６のチルト調整を行うことができる。なお、図２の実施の形態に対し、磁石９Ｂにおける磁石１０Ｂ側をＳ極に磁化し、また磁石１０Ｂにおける磁石９Ｂ側をＮ極に磁化することで磁界の方向を変え、更に内側コイル１２Ａ、１２Ｂ、外側コイル１３Ａの電流の流れる方向を同じ時計回りにし、外側コイル１３Ｂの電流の流れる方向を反時計回りとした場合、外側コイル１３Ａ、１３Ｂによりフォーカシング動作を行いながらも、時計回りの磁気回路が形成され、ギャップ磁束密度が増大するという利点がある。
【００３８】
更に、トラッキングコイル１１Ａ、１１Ｂに電流を流すことで、ホルダ５を対物レンズ６と共に、光軸に直交する方向に移動可能となっており、それによりトラッキング動作を行うことができる。
【００３９】
以上、本発明を実施の形態を参照して説明してきたが、本発明は上記実施の形態に限定して解釈されるべきではなく、適宜変更・改良が可能であることはもちろんである。
【図面の簡単な説明】
【００４０】
【図１】本実施の形態にかかるレンズ駆動装置の斜視図である。
【図２】図１に示すホルダ基板１４を矢印II方向に見た図である。
【図３】本実施の形態の変形例にかかるホルダ基板１４’を示す図である。
【図４】図１に示すベース基板３を矢印IV方向に見た図である。
【符号の説明】
【００４１】
１ ベース
２ 筐体
３ ベース基板
３ａ ベース
３ｂ 孔
３ｃ 導電面
３ｄ 端子部
４ ワイヤ
５ ホルダ
５ａ 矩形開口
５ｂ 矩形開口
５ｃ バランサ
５ｄ 柱部
５ｅ 柱部
５ｆ 柱部
６ 対物レンズ
７Ａ ヨーク
７Ｂ ヨーク
９Ａ 磁石
９Ｂ 磁石
１０Ａ 磁石
１０Ｂ 磁石
１１Ａ トラッキングコイル
１１Ｂ トラッキングコイル
１２Ａ 内側コイル
１２Ｂ 内側コイル
１３Ａ 外側コイル
１３Ｂ 外側コイル
１４ ホルダ基板
１４ａ ベース
１４ｂ、１４ｃ、１４ｄ 導電面
１４ｅ、１４ｆ、１４ｇ 支持部
１４ｈ、１４i、１４ｊ 端子部
１４ｘ 逃げ部
１５Ａ 保持体（接着剤）
１５Ｂ 保持体（接着剤）
Ｇ１ 第１コイル群
Ｇ２ 第２コイル群
Ｈ１〜Ｈ３ 配線
ＳＣ 接着剤（クリームハンダ）
ＳＤ ハンダ
ＳＷ ハンダ材
【図１】
2007188596.tif 000003
【図２】
2007188596.tif 000004
【図３】
2007188596.tif 000005
【図４】
2007188596.tif 000006